(57)【要約】    【課題】言語が選択されていない状態で起動された時にエラーが発生しても、ユーザが理解できない言語でエラーメッセージが表示されてしまうことがない印刷装置を、提供する。    【解決手段】印刷装置を、言語が選択されていない状態で起動された場合、まず、言語をユーザに選択させる処理（ステップＳ１０３）を行ってから、ユーザによって選択された言語の，発生したエラーに関するエラーメッセージを表示するエラー対処処理(ステップＳ１０６；エラーが発生していない場合、何も行われない処理)を行う装置として構成しておく。    【選択図】図２
2008018534.tif 000002
【特許請求の範囲】
【請求項１】
各種メッセージを表示するための表示装置と各種指示を入力するための入力装置とを備え、前記表示装置に表示される各メッセージの言語を，前記入力装置を操作することによって選択可能な印刷装置であって、
起動されたときに、言語が選択されているか否かをチェックし、言語が選択されていなかった場合には、前記表示装置及び前記入力装置を制御することにより、前記表示装置に表示されるメッセージの言語をユーザに選択させる言語選択受付手段と、
前記言語選択受付手段の動作後に機能する、発生したエラーに関する，選択されている言語でのエラーメッセージを前記表示装置に表示させるエラー対応手段と
を、備えることを特徴とする印刷装置。
【請求項２】
前記言語選択受付手段が、前記入力装置に対して所定の操作が行われた場合、ユーザに言語を選択させることなく、動作を終了する手段である
ことを特徴とする請求項１記載の印刷装置。
【発明の詳細な説明】
【技術分野】
【０００１】
本発明は、表示装置を備え、表示装置上に表示されるメッセージの言語を指定できる印刷装置に、関する。
【背景技術】
【０００２】
プリンタメーカーが製造している海外仕様の印刷装置（プリンタ、複合機等の印刷を行う装置）は、その筐体上に設けられている表示装置（通常、ＬＣＤ）に表示されるメッセージの言語を，英語，フランス語，ドイツ語等の中から指定できるものとなっている。そして、そのような既存の印刷装置は、いずれも、初回起動時にエラーが発生した場合には、言語が選択されていないため、デフォルトの言語（通常、英語）のメッセージが示された，例えば，図４に示したような画面をＬＣＤ上に表示する装置（例えば、非特許文献１参照）となっている。換言すれば、既存の印刷装置は、初回起動時に（言語が選択されていない状態で）エラーが発生した場合には、ユーザが理解できない言語でエラーメッセージが表示されてしまうことがある装置となっている。
【０００３】
【非特許文献１】Epson Aculaser CX11N/CX11NF Setup Guide，インターネット＜ＵＲＬ：http://files.support.epson.com/pdf/cx11n#/cx11n#q1.pdf＞
【発明の開示】
【発明が解決しようとする課題】
【０００４】
そこで、本発明の課題は、言語が選択されていない状態で起動された時にエラーが発生しても、ユーザが理解できない言語でエラーメッセージが表示されてしまうことがない印刷装置を、提供することにある。
【課題を解決するための手段】
【０００５】
上記課題を解決するために、本発明では、各種メッセージを表示するための表示装置と各種指示を入力するための入力装置とを備え、表示装置に表示される各メッセージの言語を，入力装置を操作することによって選択可能な印刷装置を、起動されたときに、言語が選択されているか否かをチェックし、言語が選択されていなかった場合には、表示装置及び入力装置を制御することにより、表示装置に表示されるメッセージの言語をユーザに選択させる言語選択受付手段と、言語選択受付手段の動作後に機能する、発生したエラーに関する，選択されている言語でのエラーメッセージを表示装置に表示させるエラー対応手段とを備えた装置として構成しておく。
【０００６】
すなわち、本発明の印刷装置は、言語が選択されていない状態で起動された時にエラーが発生した場合、ユーザに表示言語を選択させた後、ユーザが選択した言語でエラーメッセージを表示する装置となっている。従って、この印刷装置は、言語が選択されていない状態で起動された時にエラーが発生しても、ユーザが理解できない言語でエラーメッセージが表示されてしまうことがない装置として機能することになる。
【０００７】
本発明の印刷装置を実現するに際しては、工業出荷時の検査時に言語選択を行わないことができるようにするために、言語選択受付手段を、入力装置に対して所定の操作が行われた場合、ユーザに言語を選択させることなく、動作を終了する手段としておくことが望ましい。
【発明を実施するための最良の形態】
【０００８】
以下、本発明を実施するための最良の形態を、図面を参照して詳細に説明する。
【０００９】
まず、図１を用いて、本発明の一実施形態に係る印刷装置１０の概要（主として、ハードウェア構成）を、説明する。
【００１０】
図示してあるように、本実施形態に係る印刷装置１０は、主な構成要素として、操作パネル１１と制御ユニット１２と印刷エンジン１３とを備えた装置である。また、印刷装置１０は、ＬＡＮケーブル／ＵＳＢケーブル等により，何台かのユーザＰＣ（本印刷装置１０用のプリンタドライバがインストールされているパーソナルコンピュータ）と接続されて使用される装置となっている。
【００１１】
本印刷装置１０が備える操作パネル１１は、ユーザとの間のインタフェース手段として、印刷装置１０の筐体上に設けられているユニットである。この操作パネル１１は、ＬＣＤ（本発明の表示装置に相当）、複数のＬＥＤ、上ボタン，下ボタン，決定ボタン，戻るボタンといった複数の押しボタンスイッチ（本発明の入力装置に相当）などから構成されたユニットとなっている。
【００１２】
印刷エンジン１３は、用紙上に印刷を行うためのユニットである。この印刷エンジン１３は、４つのトナーカートリッジと感光体ユニットとを取り付けることが必要なユニットとなっている。
【００１３】
制御ユニット１２は、印刷装置１０内の各部を統合的に制御するユニットである。この制御ユニット１２は、一般的な印刷装置内の同名／類似名称のユニットと同様に、ＣＰＵ，ＲＯＭ，ＲＡＭ，ＥＥＰＲＯＭ，各種インタフェース回路等から構成されたユニットとなっている。また、制御ユニット１２は、操作パネル１１のＬＣＤ上に、各種言語（英語、フランス語，ドイツ語，イタリア語等）のメッセージを表示できるように構成された（プログラムされた）ユニットともなっている。
【００１４】
そして、本実施形態に係る印刷装置１０は、４つのトナーカートリッジと感光体ユニットとが印刷エンジン１３に取り付けられていない状態で販売すること（装置のセットアップ時に、ユーザに、４つのトナーカートリッジと感光体ユニットとを取り付けさせること）を想定した装置であると共に、トナーカートリッジや感光体ユニットが取り付けられていないことを，エラーとして認識する装置となっている。
【００１５】
以上のことを前提として、以下、本実施形態に係る印刷装置１０の構成及び動作を、さらに具体的に説明する。
【００１６】
印刷装置１０内の制御ユニット１２は、印刷装置１０が起動された場合、図２に示した手順の処理（以下、起動時処理と表記する）を実行するユニットとして構成されている。
【００１７】
すなわち、印刷装置１０が起動されると、制御ユニット１２は、まず、印刷装置１０内の各部の状態をチェックする処理(ステップＳ１０１)を行う。
【００１８】
次いで、制御ユニット１２は、ＥＥＰＲＯＭ上の情報（後述するステップＳ１０５の処理で記憶される情報）を参照することにより、言語選択が既に行われているか否かを判断する処理（ステップＳ１０２）を行う。そして、制御ユニット１２は、言語選択が既に行われていた場合（ステップＳ１０２；ＹＥＳ）には、エラー対処処理(ステップＳ１０７)を行う。ここで、エラー対処処理とは、エラーが発生していた場合には、そのエラーの解消作業をユーザに行わせるために、各種のメッセージ（既に把握している言語のもの）が示される各種画面（図４参照）をＬＣＤ上に表示する処理(エラーが発生していなかった場合には、特に何も行われない処理)のことである。
【００１９】
また、制御ユニット１２は、言語選択が行われていなかった場合（ステップＳ１０２；ＮＯ）には、言語選択受付処理（ステップＳ１０３）を開始する。
【００２０】
この言語選択受付処理は、図３に示した構成の言語選択画面を，操作パネル１１内のＬＣＤ上に表示することにより、ユーザに言語を選択させる処理である。なお、この言語選択受付処理は、上，下ボタンを操作することにより、所望の言語を反転表示させた後、決定ボタンを押下することにより、言語を選択できる処理となっている。また、言語選択受付処理は、戻るボタンを押下すれば、言語選択を行うことなく終了させることが出来る処理となっている。
【００２１】
言語選択受付処理を終えた制御ユニット１２は、言語選択受付処理にて言語が選択されていた場合(ステップＳ１０４；ＹＥＳ)には、言語選択が完了したことを示す情報と，選択された言語を示す情報とを、ＥＥＰＲＯＭ上に記憶する（ステップＳ１０５）。そして、制御ユニット１２は、ステップＳ１０６にて、必要である場合には、各種のメッセージ（今回、ユーザにより選択された言語のもの）が示される各種画面をＬＣＤ上に表示する処理を行ってから、この起動時処理を終了する。
【００２２】
また、制御ユニット１２は、言語選択が行われることなく言語選択受付処理が終了した場合(ステップＳ１０４；ＮＯ)には、特に処理を行うことなく、この起動時処理を終了する。
【００２３】
以上の説明から明らかなように、本実施形態に係る印刷装置１０は、言語が選択されていない状態で起動された場合、まず（ステップＳ１０１の処理でエラーを検出していてもいなくても）、ユーザに表示言語を選択させる装置となっている。このため、この印刷装置１０は、装置の初回起動を、トナーカートリッジ等を取り付けることなく行ってしまっても、ＬＣＤ上に表示されるエラーメッセージの意味をユーザが理解できないといったことが生じない装置として機能することになる。
【００２４】
また、印刷装置１０は、言語選択受付処理時に戻るボタンを押下することにより、ステップＳ１０５の処理を省略させることが出来る装置となっている。従って、この印刷装置１０は、工場出荷時の検査後に、ＥＥＰＲＯＭ上の情報を、言語の選択が行われていないことを示すものに変更する必要がない装置となっていることにもなる。
【図面の簡単な説明】
【００２５】
【図１】本発明の一実施形態に係る印刷装置の構成図。
【図２】印刷装置内の制御ユニットが行う起動時処理の流れ図。
【図３】制御ユニットが操作パネル内のＬＣＤ上に表示する言語選択画面の説明図。
【図４】既存の印刷装置が，エラー発生時にＬＣＤ上に表示する画面の説明図。
【符号の説明】
【００２６】
１０  印刷装置、  １１  操作パネル、  １２  制御ユニット
１３  印刷エンジン
【図１】
2008018534.tif 000003
【図２】
2008018534.tif 000004
【図３】
2008018534.tif 000005
【図４】
2008018534.tif 000006